(57)【要約】【課題】強風時や突風の発生時における足場組立体の倒壊防止に寄与するメッシュシートを提供する。【解決手段】メッシュシート（１４）は、門型に伸びる２つの側部（２６、２８）及び上部（３０）からなる第１の領域（２２）と、第１の領域の両側部及び上部に取り囲まれた第２の領域（２４）を有する。第１の領域の充実率は前記第２の領域の充実率より小さい。メッシュシートは、その第１の領域の両側部の少なくとも一方が建物の２つの隅角部（２０）のうちの少なくとも一方の隅角部の近傍において１つの壁面に相対し、かつ、前記第１の領域の上部が建物の１つの壁面の上方に位置するように配置される。【選択図】図１
2020084426.tif 000002
【特許請求の範囲】
【請求項１】
建物の構築のために設置された足場組立体に前記建物の２つの隅角部を規定する１つの壁面に相対するように取り付けられるメッシュシートであって、
前記メッシュシートは、門型に伸びる２つの側部及び上部からなる第１の領域と、該第１の領域の両側部及び上部に取り囲まれた第２の領域とであって前記第１の領域の充実率が前記第２の領域の充実率より小さい第１の領域と第２の領域とを有し、
前記メッシュシートは、その第１の領域の両側部の少なくとも一方が前記建物の２つの隅角部のうちの少なくとも一方の隅角部の近傍において前記１つの壁面に相対し、かつ、前記第１の領域の上部が前記建物の１つの壁面の上方に位置するように配置される、メッシュシート。
【請求項２】
前記第１の領域の各側部は、前記建物の隅角部から前記足場組立体の２スパンの距離をおいた幅寸法を有する、請求項１に記載のメッシュシート。
【請求項３】
前記第１の領域の充実率及び前記第２の領域の充実率は、前記足場組立体に取り付けられた前記メッシュシートが風力を受けたときの前記第１の領域における風力係数及び前記第２の領域における風力係数をそれぞれＣ１及びＣ２としたとき、等式{Ｃ１×前記第１の領域の充実率）＝Ｃ２×前記第２の領域の充実率｝で示される関係を有する、請求項１又は２に記載のメッシュシート。
【発明の詳細な説明】
【技術分野】
【０００１】
本発明は、建物の建築の際に使用されるメッシュシートに関する。
【背景技術】
【０００２】
メッシュシートは、建築途上の建物の周囲に配置された足場組立体に建物の壁面に相対するように取り付けられ、足場組立体上で建築作業に従事する作業員や資材、工具等の落下や周囲への飛散を防止する働きをなす。
【０００３】
ところで、建築現場においては、強風時や一時的な突風の発生時に足場組立体が倒壊するという現象が生じることがある。この現象は、メッシュシートと建物の壁面との間に流入した風がメッシュシートを足場組立体から引き剥がそうとする力（風力）を及ぼすことによって生じることが知られている。また、メッシュシートが受ける前記風力は、建物の隅角部の近傍、特に隅角部と該隅角部から水平方向へ前記足場組立体の２スパンの距離をおいた範囲において大きいことが知られている。従来においては、このような足場組立体の倒壊現象の発生を防止するために、通風用開口が設けられた防護シートの使用が提案されている。
【先行技術文献】
【特許文献】
【０００４】
【特許文献１】特開２０１７−２５５２号公報
【発明の概要】
【発明が解決しようとする課題】
【０００５】
本発明は、前記従来の事情に鑑み、強風時や突風の発生時における足場組立体の倒壊防止に寄与するメッシュシートを提供する。
【課題を解決するための手段】
【０００６】
本発明は、建物の構築のために設置された足場組立体に前記建物の２つの隅角部を規定する１つの壁面に相対するように取り付けられるメッシュシートに係る。前記メッシュシートは、門型に伸びる２つの側部及び上部からなる第１の領域と、該第１の領域の両側部及び上部に取り囲まれた第２の領域とを有し、前記第１の領域の充実率は前記第２の領域の充実率より小さい。前記メッシュシートは、その第１の領域の両側部の少なくとも一方が前記建物の２つの隅角部のうちの少なくとも一方の隅角部の近傍において前記１つの壁面に相対し、かつ、前記第１の領域の上部が前記建物の１つの壁面の上方に位置するように配置される。本発明において、「充実率」とは、（充実率＝網の実面積／網の外郭面積）で表される網の実面積の比率をいう。
【０００７】
本発明に係るメッシュシートは、足場組立体に取り付けられ、従来におけると同様、足場組立体上の作業員や資材、工具等の落下や周囲への飛散を防止する働きをなす。前記足場組立体に取り付けられた前記メッシュシートは、その第１の領域の両側部の少なくとも一方が前記建物の２つの隅角部のうちの少なくとも一方の隅角部の近傍において前記建物の１つの壁面に相対し、かつ、その上部が前記建物の１つの壁面の上方に位置する。
【０００８】
本発明にあっては、前記メッシュシートの第１の領域の充実率が第２の領域の充実率より小さい。したがって、前記第１の領域は前記第２の領域の網目より大きい網目を有する。このことから、前記メッシュシートと前記足場組立体との間に流入した風の前記第１の領域における通過量をより大きいものとし、これにより、前記建物の隅角部の近傍において前記メッシュシートに特に強く働く風力と、前記メッシュシートの上部に働く風力との低減を図ることができる。このことは、強風時や突風の発生時における足場組立体の倒壊防止に有利に働く。
【０００９】
前記第１の領域の各側部は、前記建物の隅角部から前記足場組立体の２スパンの距離をおいた幅寸法を有するものとすることができる。また、前記第１の領域の充実率及び前記第２の領域の充実率は、前記足場組立体に取り付けられた前記メッシュシートが風力を受けたときの前記第１の領域における風力係数及び前記第２の領域における風力係数をそれぞれＣ１及びＣ２としたとき、等式{Ｃ１×前記第１の領域の充実率）＝Ｃ２×前記第２の領域の充実率｝で示される関係を有するものとすることができる。
【図面の簡単な説明】
【００１０】
【図１】建築途上の建物の４つの壁面に相対するように配置された４つのメッシュシートを示す概略的な斜視図である。
【図２】建築途上の建物の互いに隣接する２つの壁面に相対するように配置された２つのメッシュシートを示す概略的な平面図である。
【図３】建築途上の建物の１つの壁面に相対するように配置された１つのメッシュシートの平面図である。
【図４】建築途上の建物の互いに隣接する２つの壁面の一部に相対するように配置された２つのメッシュシートの一方の立面図である。
【図５】図４に示す２つのメッシュシートの概略的な平面図である。
【図６】建築途上の建物の１つの壁面の一部に配置された１つのメッシュシートの平面図である。
【発明を実施するための形態】
【００１１】
図１を参照すると、建築途上にある例えば鉄筋コンクリート造の建物１０と、建物１０の構築のために建物１０の周囲にこれを取り囲むように設置された４つの足場組立体１２と、これらの足場組立体１２にそれぞれ例えばロープやワイヤ（図示せず）を用いて取り付けられかつ互いに連結された本発明に係る４つのメッシュシート１４とが示されている。
【００１２】
図示の建物１０は全体に矩形の平面形状を有する。また、図示の建物１０は矩形状を呈する４つの壁面１６と、これらの壁面１６に連なる屋上面１８とを有する。さらに、図示の建物１０は４つの隅角部（コーナー部）２０を有する。各隅角部２０は互いに隣接する２つの壁面１６により形成され、各壁面１６がその水平方向における両端においてそれぞれ２つの隅角部２０を規定する。
【００１３】
足場組立体１２は、図示の例においては、縦横に組み立てられた複数の枠組み足場からなり、全体に矩形の立面形状を有する。各足場組立体１２は建物の１０の壁面１６に固定され、各壁面１６に相対し、また、その一部である上部１２ａが建物１０の屋上面１８を超えてその上方へ伸びている。
【００１４】
図示のメッシュシート１４は例えばポリエステルのような合成樹脂材料で形成されている。また、各メッシュシート１４は、各足場組立体１２に取り付けられた図１に示す状態で見て、矩形の立面形状を有し、建物１０の各壁面１６に相対している。
【００１５】
メッシュシート１４は、第１の領域２２と、第２の領域２４とを有する。第１の領域２２は門型に伸びる２つの側部２６、２８及び上部３０からなる。両側部２６、２８は、それぞれ、図１で見て、矩形状を呈し、上下方向へ細長く伸びている。また、両側部２６、２８に連なる上部３０は、図１で見て、矩形状を呈し、両側部２６、２８の上方を水平方向へ細長く伸びている。
【００１６】
他方、第２の領域２４は、第１の領域２２に取り囲まれている。より詳細には、第２の領域２４は矩形状を呈し、第１の領域２２の両側部２６、２８と上部３０とに取り囲まれ、両側部２６、２８及び上部３０に連なっている。
【００１７】
各メッシュシート１４は足場組立体１２の高さ寸法及び幅寸法（水平方向長さ）よりわずかに長い高さ寸法及び幅寸法（水平方向長さ）を有する。各メッシュシート１４は、これが各足場組立体１２に取り付けられた図１に示す状態で見て、第１の領域２２の上部３０において、各足場組立体１２の上部１２ａに相対しかつ第１の領域２２の両側部２６、２８及び第２の領域２４において、各足場組立体１２の上部１２ａを除いた残りの部分と建物１０の各壁面１６とに相対している。
【００１８】
各メッシュシート１４はその第１の領域２２の両側部２６、２８が、それぞれ、建物１０の各壁面１６が規定する２つの隅角部２０の近傍に相対するように配置される。好ましくは、両側部２６、２８はそれぞれ両隅角部２０から水平方向へ足場組立体１２の２スパン（２ｓ）の距離をおいた幅寸法を有し、この幅寸法の範囲内において上下方向へ伸び、建物１０の壁面１６に相対している。ここで、１スパン（１ｓ）は、足場組立体１２を構成する１つの枠組み足場の水平方向長さ、例えば１８００ｍｍに相当する長さを意味する。隅角部２０の近傍、特に、隅角部２０と該隅角部から水平方向に関して足場組立体１２の２スパンに相当する距離をおいた箇所との間の範囲においては、足場組立体１２に取り付けられたメッシュシート１４が特に強い風力を受けるところであるとされている。
【００１９】
第１の領域２２は第２の領域２４より小さい充実率を有する。このため、第１の領域２２の網目の大きさは第２の領域２４の網目の大きさより大きい。第１の領域２２の充実率の大きさ及び第２の領域２４の充実率の大きさは、想定される風の強さを考慮して定めることができる。
【００２０】
例えば、「改訂  風荷重に対する足場の安全技術指針（社団法人  仮設工業会）」（以下、単に「指針」という。）において推奨されているメッシュシートに働く負の風力係数を考慮して定めることができる。前記「指針」では、メッシュシートの一部である、建物の隅角部の近傍に面する部分及び建物の屋上面を超えてその上方へ伸びる部分についての風力係数Ｃ１、及び、他の残りの一部についての風力係数Ｃ２を、それぞれ、Ｃ１＝−１．３及びＣ２＝−０．８としている。前記メッシュシートの一部と他の残りの一部とは、それぞれ、本発明に係るメッシュシート１４の第１の領域２２の側部２６、２８及び上部３０と、メッシュシート１４の第２の領域２４とに相当する。
【００２１】
また、メッシュシート１４の第１の領域２２の充実率及び第２の領域２４の充実率は、等式{第１の領域２２の風力係数（Ｃ１＝−１．３）×第１の領域２２の充実率）＝第２の領域２４の風力係数（Ｃ２＝−０．８）×第２の領域の充実率｝で示される関係を有するものとすることができる。これによれば、第２の領域２４の充実率を例えば７０％に設定すると、第１の領域２２の充実率は約４３％に設定される。また、これにより、第１及び第２の２つの領域２２、２４間での風力による影響の差をなくすことができる。
【００２２】
本発明にあっては、前記したように、メッシュシート１４の第１の領域２２の充実率が第２の領域２４の充実率より小さく、第１の領域２２の網目の大きさが第２の領域２４の網目の大きさより大きい。このことから、メッシュシート１４と足場組立体１２との間に流入した風の第１の領域２２における通過量をより大きいものとすることができる。このことから、建物の隅角部２０の近傍においてメッシュシート１４に特に強く働く風力と、メッシュシート１４の上部３０に働く風力との低減を図ることができる。
【００２３】
４つのメッシュシート１４をそれぞれ建物１０の４つの壁面１６に相対するように配置する図１の例に代えて、図２〜図６に示すように、足場組立体１２が設置された任意の壁面１６に相対するように配置することができる。
【００２４】
図２に示す例にあっては、建物１０の互いに隣接する２つの壁面１６に沿ってそれぞれ２つの足場組立体１２が設置され、２つのメッシュシート１４がそれぞれ建物１０の２つの壁面１６に相対するように配置されている。
【００２５】
図３に示す例にあっては、建物１０の壁面１６に沿って足場組立体１２が設置され取り付けられている。
【００２６】
また、図４及び図５に示す例にあっては、建物１０の互いに隣接する２つの壁面１６Ａ、１６Ｂに沿ってそれぞれ２つの足場組立体１２Ａ、１２Ｂが設置され、２つのメッシュシート１４Ａ、１４Ｂがそれぞれ２つの壁面１６Ａ、１６Ｂの一部に相対するように配置されている。
【００２７】
図４及び図５に示す例においては、メッシュシート１４Ａの第１の領域２２の両側部２６、２８のうちの一方の側部２６のみが２つの隅角部（区別のために符号２０Ａ、２０Ｂ及び２０Ａ、２０Ｃを付する。）のうちの一方の隅角部２０Ａの近傍に相対し、メッシュシート１４Ａの他の一方の側部２８は、隅角部２０Ｂの非近傍において、すなわち隅角部２０Ｂから離れた箇所（例えば隅角部２０Ａに向けて２スパン以上の距離をおいた箇所）において、壁面１６Ａに相対している。また、メッシュシート１４Ｂの第１の領域２２の両側部２６、２８のうちの一方の側部２８のみが一方の隅角部２０Ａの近傍に相対し、メッシュシート１４Ｂの他の一方の側部２６は隅角部２０Ｃの非近傍において、すなわち隅角部Ｃから離れた箇所（例えば隅角部２０Ａに向けて２スパン以上の距離をおいた箇所）において、壁面１６Ａに相対している。
【００２８】
また、図４及び図５に示す２つのメッシュシート１４Ａ、１４Ｂのうちの１つのメッシュシート１４Ａのみを配置することができる（図６参照）。
【００２９】
図６に示す例においては、図４及び図５に示す２つの壁面１６Ａ、１６Ｂのうちの一方の壁面である壁面１６Ａの一部に沿って足場組立体１４Ａが設置され、１つのメッシュシート１２が壁面１６Ａの前記一部に相対するように配置されている。なお、図示の例に代えて、他方の壁面１６Ｂの一部に沿って足場組立体（図示せず）を設置し、１つのメッシュシート（図示せず）を壁面１６Ｂの一部に相対するように配置することができる。
【符号の説明】
【００３０】
１０  建物
１２  足場組立体
１４  メッシュシート
１６  建物の壁面
２０  建物の隅角部
２２  メッシュシートの第１の領域
２４  メッシュシートの第２の領域
２６、２８  第１の領域の側部
３０  第１の領域の上部
【図１】
2020084426.tif 000003
【図２】
2020084426.tif 000004
【図３】
2020084426.tif 000005
【図４】
2020084426.tif 000006
【図５】
2020084426.tif 000007
【図６】
2020084426.tif 000008